Podtech/llm-jp-corpus-v4-ja_patent huggingface dataset:
(57)【要約】      （修正有）【課題】作動が的確で、軽量な自転車用クラッチを提供する。【解決手段】一方の軸７に取付けられた一方のディスク１と、他方の軸８に取付けられた他方のディスク２とがあり、一方のディスク１の周辺部には複数個の係合突子を設け、係合突子に係合する係合受部が他方のディスク２に設けられると共に、一方の軸７の端部はその軸芯部分は中空とし、この中空の部分に、他方のディスク２の中心から一方のディスク１の中心部分を貫通して突設された係合桿を遊嵌し、且つ係合桿から突設の係合子４を案内する案内孔１０を、一方のディスク１から一方の軸７を包むように突設した管体に設ける。【選択図】図１
2010084938.tif 000002
【特許請求の範囲】
【請求項１】
一方の軸（７）に取付けられた一方のディスク（１）と、他方の軸（８）に取付けられた他方のディスク（２）とがあり、前記一方のディスク（１）の周辺部には複数個の係合突子（９）を設け、該係合突子（９）に係合する係合受部（６）が前記他方のディスク（２）に設けられると共に、前記一方の軸（７）の端部はその軸芯部分は中空とし、この中空の部分に、前記他方のディスク（２）の中心から前記一方のディスク（１）の中心部分を貫通して突設された係合桿（５）を遊嵌し、且つ該係合（５）の係合子（４）を案内する案内孔（１０）を、前記一方のディスク（１）から前記一方の軸（７）を包むように突設した管体（１１）に設けるに当り、前記一方の軸（７）が回転し始めた時に係合子（４）が斜め方向に案内方向に案内することで前記他方のディスク（２）が、前記一方のディスク（１）の方に移動し、両者を密着せしめるようにしたクラッチ機構
【請求項２】
前記請求項１に記載のクラッチが装備される三輪自転車が駆動補助器としてバッテリを設備するものであることを特徴とするクラッチ機構
【請求項３】
前記請求項１に記載のクラッチが装備される三輪自転車が駆動補助機としてモータを設備するものであることを特徴とするクラッチ機構
【発明の詳細な説明】
【発明の詳細な説明】
【産業上の利用分野】
【０００１】  本発明は、例えば、本発明者が考案し出願した意願２００８−１８３３６号に係る、自転車に取り付けて使用することが好ましいクラッチ機構に関するものである。
【背景技術】
【０００２】  クラッチは比較的大型の装置に使用されるものであって、自転車のような比較的小型の装置には使用された例は知らない。自転車は大重量の物を運ぶものではなかったことも、「クラッチ不使用」と云うことの一原因であろう。
本発明者の前記意願２００８−１８３３６号に係る自転車は、その願書中の〔意匠に係る物品の説明〕に記載の通り「小荷物や商品配送などのための三輪自転車」で比較的大重量の物を運ぶものであって、クラッチを使用することが好ましいとせられるのである。【０００３】  依って、本発明者は下記の本発明をしたのである。
記
一方の軸（７）に取付けられた一方のディスク（１）と、他方の軸（８）に取付けられた他方のディスク（２）とがあり、前記一方のディスク（１）の周辺部には複数個の係合突子（９）を設け、該係合突子（９）に係合する係合受部（６）が前記他方のディスク（２）に設けられると共に、前記一方の軸（７）の端部はその軸芯部分は中空にし、この中空の部分に、前記他方のディスク（２）の中心から前記一方のディスク（１）の中心部分を貫通して突設された係合桿（５）を遊嵌し、且つ該係合桿から突設の係合子（４）を案内する案内孔（１０）を、前記一方のディスク（１）から前記一方の軸（７）を包むように突設した管体（１１）に設けるに当り、前記一方の軸（７）が回転し始めた時に、係合子（４）が斜め方向に案内方向に案内することで（図１の状態から図２の状態になる、即ち）前記他方のディスク（２）が、前記一方のディスク（１）の方に移動し、両者を密着せしめるようにしたクラッチ機構
而して、該クラッチ装置を装備する三輪自転車には、図１に図示の通り、バッテリ（１２）、モータ（１３）を駆動補助器として設置する。
【作用】
【０００４】  上記のような構成によれば、クラッチとしての作動が適確で、この適確性は、前記一方の軸（７）に相当に大きな応力が加えられると軽減することはなく、しかも比較的に軽量であって、自転車の駆動部分に使用されるのに適切である。而して、バッテリ（１２）、モータ（１３）は、実用上、極めて有用である。
【実施例】
【０００５】  以下、本発明の一実施例について図面を参照して説明する。
図１は、一方のディスク１と、他方のディスク２とが離れている状態での斜面図であり、図２は２個のディスク１，２が密着している状態での斜面図である。図３は駆動関係を図示した線図である。【０００６】  図中、３は本発明のクラッチを使用する自転車であって、実施例として本発明者の出願に係る意願２００８−１８３３６号の意匠に係る自転車が例示される。７は、前記一方のディスク１に取り付けられた入力軸（一方の軸）であって、該一方の軸７の端部はその軸芯部分は中空にし、この中空の部分に、前記他方のディスク２の中心から前記一方のディスク１の中心部分の空洞を貫通して突設された係合桿（図示せず）を遊嵌する。４は該係合桿から突設された係合子であって、該係合子４を案内する案内孔１０を、前記一方のディスク１から前記一方の軸７を包むように突設した管体１１に設けるに当り、前記一方の軸７が回転し始めた時に係合子４が斜め方向に案内方向に案内されることで、前記他方のディスク２が、前記一方のディスク１の方に移転し、両者を密着せしめるようにする。
【発明の効果】
【０００７】  本発明は、前述の構成であって、クラッチとして優れているだけでなく、特に自転車用に適すると云う効果を有するものである。
【図面の簡単な説明】
【０００８】
【図１】は、一方のディスクと、他方のディスクとが離れている状態での本発明装置の斜面図であり、
【図２】は同上の２個のディスクが密着している状態での斜面図であり、
【図３】は本発明装置が装着される自転車における動力伝達関係を図示した動力系統図である。
【図４】は本発明者の出願に係る意願２００８−１８３３６号の意匠に係る自転車の側面図である。
【符号の説明】
【０００９】１…一方のディスク
２…他方のディスク
３…自転車（本発明者の出願に係る意願２００８−１８３３６号）
４…係合子
７…一方の軸
８…他方の軸
９…係合突子
１０…案内孔
１１…管体
１２…バッテリ（電池）
１３…モータ（電動機）
１４…チェーン
１５…チェーン
１６…スプロケット（鎖歯車）
１７…ペタル
【図１】
2010084938.tif 000003
【図２】
2010084938.tif 000004
【図３】
2010084938.tif 000005
【図４】
2010084938.tif 000006
(57)【要約】【課題】寒い時期などに、長袖を着ていても手首から手の甲にかけての露出部の冷えの解消ならびに保護を目的に、手の甲まで覆うことができる、リストウォーマーを提供する。【解決手段】同一生地で手首から手の甲までつながった一体型や、リストバンド１に手の甲側リストバンド２をつなぎ合せたものなどにより、手首から手の甲にかけて露出部分を無くし保温・保護できるようにした、リストウォーマーを特徴とする。【選択図】図３
2010084308.tif 000002
【特許請求の範囲】
【請求項１】
指は覆わずに手首から手の甲まで覆うことができるよう、生地をつなぎ合わせた、リストウォーマー。
【発明の詳細な説明】
【技術分野】
【０００１】本発明は、手の甲ならびに手首の冷えの解消及び保護のために、手首から手の甲までつながった生地や、ファッションやスポーツ時の汗拭きを目的に装着されているリストバンドやトレーナやなどの袖口に付いているリブなどに、手の甲まで覆う生地（リストバンドと同素材や、トレーナやセーターなどの袖口に付いているリブと同素材など）をつなげることにより、手の甲まで暖かく使用できるようにした手の甲覆いリストウォーマーに関するものである。
【背景技術】
【０００２】従来は、５本指を覆わないことで違和感なく手を自由に使えて、手の甲から手首までを保温・保護するものは無く、時により衣類の袖などを伸ばすなどして手の甲まで覆い、対応している。
【発明の開示】
【発明が解決しようとする課題】
【０００３】（イ）．寒い時期など、長袖を着ていても手首から手の甲にかけて露出があり屋内／屋外でも場所により冷えてしまう。
（ロ）．スポーツ時など多用途で、手首から手の甲にかけて、腱・筋・筋肉・表皮などを保温・保護するものがなかった。
（ハ）．日常生活やスポーツ時など、指までかけるタイプや手袋のように指や手の平まで生地などがあると違和感があり、不便があった。
本発明は、これらの課題を解消するためになされたものである。
【課題を解決するための手段】
【０００４】手首から手の甲までつながった一体型の生地のものや、リストバンド１に手の甲側リストバンド２をつなぎ合わせ一体型にする。
用途により、手の甲側リストバンド２にポケット（カイロなど入れられる）を付けるなど付属を備える。
【発明の効果】
【０００５】寒い時期や、手の甲ならびに手首を保温・保護する時に、手首から手の甲にかけて露出部分が無くなり、保温ならびに保護の役割をもてると同時に、ファッションとしての実用性もかねる。
指は全部、手の平は半分以上露出があり、手の自由度は本発明品を装着していない時とほとんど変わらない状態にある。
【発明を実施するための最良の形態】
【０００６】以下、本発明の実施するための最良の形態について説明する。
（イ）．手首から手の甲にかけて一体型、又はリストバンド１に手の甲側リストバンド２を縫い合わせる。
（ロ）．手の甲側の部分は、手の形状に合わせ、広がりをもたせる。
（ハ）．使用する用途に合わせ、一体型・つなぎ合わせ型・素材質・厚み・伸縮性・形状・ポケットを付ける・色柄を付ける  などにより、日常時／ファッションとして／スポーツ時／寒冷時など多用途で使用できるように対応する。
【実施例】
【０００７】
【図面の簡単な説明】
【０００８】
【図１】本発明の正面図（一体型タイプ）である。
【図２】本発明の正面図（つなぎあわせタイプ）である。
【図３】本発明の装着図である。
【符号の説明】
【０００９】１．  リストバンド１
２．  手の甲側リストバンド２
３．  ポケット（用途に合わせ付属）
【図１】
2010084308.tif 000003
【図２】
2010084308.tif 000004
【図３】
2010084308.tif 000005
(57)【要約】【課題】  本発明は、雨合羽防寒コートのフードに関するものであり、フードに工夫を加えることにより安全性が図れるという耳付きフードを提供する。【解決手段】  フード地（２）に半球体形状物（１）と嵌合体（４）を密着固定させ、半球体形状には、音を聞くための小丸穴（３）を中央部より直下に複数設け、降雨の水滴の浸入を防ぐため、水滴落とし穴（５）を小丸穴（３）の同一線上の下側に設け、半球体形状物（１）中心としてハの字状に長穴（６）を設け、水滴落とし穴（５）を基準とし、半球体形状物（１）の中心から放射状に長穴（６）を複数設けたことを特徴とした耳付きフードである。【選択図】図１
2010084309.tif 000002
【特許請求の範囲】
【請求項１】
フード地（２）に半球体形状物（１）と嵌合体（４）を密着固定させ、半球体形状には、音を聞くための小丸穴（３）を中央部より直下に複数設け、降雨の水滴の浸入を防ぐため、水滴落とし穴（５）を小丸穴（３）の同一線上の下側に設け、半球体形状物（１）中心としてハの字状に長穴（６）を設け、水滴落とし穴（５）を基準とし、半球体形状物（１）の中心から放射状に長穴（６）を複数設けたことを特徴とした耳付きフード。
【発明の詳細な説明】
【技術分野】
【０００１】  本発明は、雨合羽防寒コートのフードに関するものであり、フードに工夫を加えることにより安全性が図れるという耳付きフードに関するものである。
【背景技術】
【０００２】  フードを頭部より被ることによって廻りの物音が聞きとりにくく、車が後方から近づいて来たときにも気付きにくいなどの安全性に欠けてしまうことがあった。
【発明の開示】
【発明が解決しようとする課題】
【０００３】  そのため、次のような問題点があった。
フードを頭部より被るため、廻りの物音が聞きとりにくく、車が後方から近づいて来たとき、気付きにくかった。
本発明は以上の問題点を解決しようとするものである。
【課題を解決するための手段】
【０００４】  フード地（２）に半球体形状物（１）と嵌合体（４）を密着固定させ、半球体形状には、音を聞くための小丸穴（３）を中央部より直下に複数設ける。
降雨の水滴の浸入を防ぐため、水滴落とし穴（５）を小丸穴（３）の同一線上の下側に設ける。
半球体形状物（１）中心としてハの字状に長穴（６）を設ける。
水滴落とし穴（５）を基準とし、半球体形状物（１）の中心から放射状に長穴（６）を複数設ける。
以上を特徴とする耳付きフードである。
【発明の効果】
【０００５】  本発明は、フードを被っていても、フード自体に半球体形状に複数の小さな穴を設けたので、物音が聞き取りやすくなった。
物音が聞き取きるので、フードを被っても安全である。
【発明を実施するための最良の形態】
【０００６】  以下、本発明の実施の形態について説明する。
フード地（２）に半球体形状物（１）と嵌合体（４）を密着固定させ、半球体形状には、音を聞くための小丸穴（３）を中央部より直下に複数設ける。
降雨の水滴の浸入を防ぐため、水滴落とし穴（５）を小丸穴（３）の同一線上の下側に設ける。
半球体形状物（１）中心としてハの字状に長穴（６）を設ける。
水滴落とし穴（５）を基準とし、半球体形状物（１）の中心から放射状に長穴（６）を複数設ける。
以上を特徴とする耳付きフードである。
つぎに、使い方を説明する。
本発明は、フードを頭部から被る。
廻りの物音が聞き取りやすく車が後方から近づいて来たときにも気付くことができる。
フードを被っていても、廻りの物音が聞き取りやすく安全である。
また、降雨の水滴の浸入を防ぐため半球体形状の中央部より下方に聞き穴として設けてある穴、これらの穴から物音を聞くことができる。
【図面の簡単な説明】
【０００７】
【図１】  本発明の正面図である。
【図２】  本発明の断面図である。
【図３】  本発明の斜視図である。
【符号の説明】
【０００８】１  半球体形状物
２  フード地
３  小丸穴
４  嵌合体
５  水滴落とし穴
６  長穴
７  耳
【図１】
2010084309.tif 000003
【図２】
2010084309.tif 000004
【図３】
2010084309.tif 000005
(57)【要約】【課題】従来、刺繍したワッペン、モチーフあるいはコサージュを衣服等に取り付ける場合、縫製あるいはホットメルトフィルム等にて取り付けるため、手間と時間を要していた。また、刺繍をしたワッペン、モチーフあるいはコサージュを衣服等に取り付けた後、別の場所に移動したい場合、刺繍したワッペン、モチーフあるいはコサージュの取り外しと、再度の取り付けにも手間と時間を要していた。【解決手段】刺繍したワッペン、モチーフあるいはコサージュの裏面にゲルシートを貼り付けることにより、誰でも取り付け、取り外しが簡単に、しかも短時間で実施できるようになった。また、ゲルシートの上に樹脂ネットあるいは綿紗（３）を貼り付けることにより、ゲルシートの粘着力の強弱を調整することが出来る。この方法により、被着体の材質に適合させてゲルシートの粘着力を調整し、ゲルシートを最適な粘着状態にして、刺繍したワッペン、モチーフあるいはコサージュの取り付け、取り外しが簡単になった。【選択図】図２
2010084310.tif 000002
【特許請求の範囲】
【請求項１】
刺繍したワッペン、モチーフあるいはコサージュの裏面にゲルシートを貼り付けたアクセサリー
【請求項２】
上記の請求項１のゲルシート面上に、樹脂ネットあるいは綿紗を貼り付けたアクセサリー
【請求項３】
刺繍したワッペン、モチーフあるいはコサージュの裏面にホットメルトフィルムを熱接着し、その上にゲルシートを貼り付けた上記請求項１と請求項２に記載のアクセサリー
【発明の詳細な説明】
【技術分野】
【０００１】この発明は、衣服・鞄・帽子・ケースなどに付着させるアクセサリーに関するものである。
【背景技術】
【０００２】従来、刺繍したワッペン、モチーフあるいはコサージュは衣服等に縫製による方法あるいはホットメルトを使って熱接着する方法等があった。そして、これらの方法にて取り付けるには多くの手間がかかっていた。
【発明の開示】
【発明が解決しようとする課題】
【０００３】従来の方法では次のような欠点があった。
刺繍したワッペン、モチーフあるいはコサージュを新規に取り付ける場合、縫製あるいはホットメルトフィルムによる取り付け方法がとられているが、かなりの手間と時間を要していた。
また、刺繍したワッペン、モチーフあるいはコサージュを別の場所に移動したい場合、従来の方法だと、取り付けたワッペン、モチーフあるいはコサージュの取り外しと取り付けに、かなりの手間と時間を要していた。
そして、これらの一連の作業をするには、かなりの熟練を必要としていた。
【発明が解決するための手段】
【０００４】布地の上に刺繍をしたワッペン、モチーフあるいはコサージュ（１）の裏面に、ゲルシート（２）を貼り付ける。このゲルコートの粘着力により、簡単に貼り付けが可能となる。また、取り外しも容易に出来る。また、刺繍をしたワッペン、モチーフあるいはコサージュ（１）の裏面には、ホットメルトフィルムを熱接着させても良い。
そして、このゲルシート（２）の上に樹脂ネットあるいは綿紗（３）を貼り付けることにより、ゲルシートの粘着力の強弱を調整することが出来る。
本発明は、以上のような構成よりなるアクセサリーである。
【発明の効果】
【０００５】本発明により、刺繍をしたワッペン、モチーフあるいはコサージュ（１）が簡単に取り付けと取り外し、すなわち、貼り付けと剥がしが簡単に出来るようになった。この発明により、刺繍したワッペン、モチーフあるいはコサージュを別の場所に移動したい時も、剥がしが容易に出来、かつ、貼り付けも簡単に出来るようになった。そのため、従来は再度取り付けに手間と時間を要していた。そして、従来、この作業は熟練者でないと上手に出来なかった。また、近年、刺繍したワッペン、モチーフあるいはコサージュを身につける人は、その人の好みあるいは流行によって、好きな所に貼り付け、取り外しが出来、今の時代に適合している。
本発明により従来の問題点が解消できる。
【発明を実施するための最良の形態】
【０００６】刺繍をしたワッペン、モチーフあるいはコサージュ（１）の裏面に、ゲルシート（２）を貼り付けたアクセサリー。また、このゲルシート（２）の上に樹脂ネットあるいは綿紗（３）を貼り付けたアクセサリー。
このような形態にすることによって、刺繍したワッペン、モチーフあるいはコサージュ等のアクセサリーは、縫製やホットメルトの熟練者でなくても、取り外しと取り付けが簡単に、しかも短時間に出来る。
尚、必要に応じて、刺繍したワッペン、モチーフあるいはコサージュの裏面にホットメルトフィルム（４）を熱接着した後に、上記のゲルシート（２）を貼り付ける。
【図面の簡単な説明】
【０００７】
【図１】本発明の断面図である。
【図２】本発明の斜視図である。
【符号の説明】
【０００８】１  刺繍したワッペン、モチーフあるいはコサージュ
２  ゲルシート
３  樹脂ネットあるいは綿紗
４  ホットメルトフィルム
【図１】
2010084310.tif 000003
【図２】
2010084310.tif 000004
(57)【要約】【課題】ダイヤフラムにおいてはそれに用いるゴム材料の屈曲耐久寿命を向上させることが課題であるが、従来の各種ゴム配合技術では十分な成果が得られていない。【解決手段】懸濁重合で得られるポリテトラフルオロエチレン粒子であって、平均粒径が１〜１０００μｍ、見掛け密度が０．２０〜１．００ｇ／ｃｍ３、かつ標準比重が２．１３〜２．２３である粒子からなる難燃性樹脂組成物を、ゴム単体のダイヤフラムに用いるゴム材料に添加して加工することにより、屈曲耐久性を向上させたダイヤフラム。【選択図】なし【特許請求の範囲】
【請求項１】
、懸濁重合で得られるポリテトラフルオロエチレン粒子であって、平均粒径が１〜１０００μｍ、見掛け密度が０．２０〜１．００ｇ／ｃｍ３、かつ標準比重が２．１３〜２．２３である粒子からなる難燃性樹脂組成物を、ダイヤフラム用ゴム材料に添加して加工してなるダイヤフラム。
【発明の詳細な説明】
【技術分野】
【０００１】
本発明は、化学、医薬、食品、水の安全、環境、エネルギー等の産業に代表されるポンプ技術分野に用いるダイヤフラムに関するものである。
【背景技術】
【０００２】
ゴム単体やゴムと布とを複合した従来のダイヤフラムでは、高機能（負荷の大きい流体に対する）・長寿命を要求される用途においてはその要求に満足できず、比較的短時間の使用で破損するという問題があった。
【０００３】
ダイヤフラム用ゴム成型品のゴム部の破断は、各種ゴムが繰り返し屈曲により疲労破壊する現象と考えられる。
【０００４】
ところで従来、懸濁重合で得られるポリテトラフルオロエチレン粒子であって、平均粒径が１〜１０００μｍ、見掛け密度が０．２０〜１．００ｇ／ｃｍ３、かつ標準比重が２．１３〜２．２３である粒子からなる難燃性樹脂組成物（以下特殊ＰＴＦＥ粒子という）であって、易燃性熱可塑性樹脂にドリップ防止性を付与するためのドリップ防止剤が、特開平１０−０７７３７８号（特許出願人  ダイキン工業株式会社）として特許公開公報に開示されている。
【０００５】
【特許文献１】特開平１０−０７７３７８号公報
【発明の開示】
【発明が解決しようとする課題】
【０００６】
解決しようとする問題点は、ダイヤフラムにおいてはそれに用いるゴム材料の屈曲耐久寿命を向上させることが課題であるが、従来の各種ゴム配合技術では十分な成果が得られていない点である。
【課題を解決するための手段】
【０００７】
本発明は、屈曲耐久性を従来よりも飛躍的に向上させるため、ダイヤフラムに使用可能なゴムに上記特殊ＰＴＦＥ粒子を配合することを最も主要な特徴とする。
【発明の効果】
【０００８】
ダイヤフラムにおいて、それに用いるゴム材料に特殊ＰＴＦＥを添加することにより、これを添加しない従来のゴム材料に比べて寿命が飛躍的に向上し、特に負荷の大きい流体に用いる高機能ダイヤフラムにおいてその耐久性を著しく増大することが可能となる。
【０００９】
また、ダイヤフラムにおける耐薬品性などの特性を阻害せず、耐薬品性などを向上させることができる。
【発明を実施するための最良の形態】
【００１０】
ダイヤフラムにおいてはそれに用いるゴム材料の屈曲耐久寿命を向上させるという目的を、上記特殊ＰＴＦＥ粒子である「懸濁重合で得られるポリテトラフルオロエチレン粒子であって、平均粒径が１〜１０００μｍ、見掛け密度が０．２０〜１．００ｇ／ｃｍ３、かつ標準比重が２．１３〜２．２３である粒子からなる難燃性樹脂組成物」をダイヤフラムに用いるゴム材料に配合することによって実現した。
【実施例１】
【００１１】
この発明は、特殊ＰＴＦＥ粒子（ダイキン工業株式会社製ポリフロンＭＰＡ  ＦＡ５００）である「懸濁重合で得られるポリテトラフルオロエチレン粒子であって、平均粒径が１〜１０００μｍ、見掛け密度が０．２０〜１．００ｇ／ｃｍ３、かつ標準比重が２．１３〜２．２３である粒子からなる難燃性樹脂組成物」をダイヤフラムのゴム材料に配合することにより、これを添加しない従来のゴム材料に比べて寿命を２０倍以上向上させることができることを見出すことにより、これを完成することに至った。
【００１２】
本発明の特殊ＰＴＦＥ粒子の添加効果が実験によって確認されたダイヤフラムに用いられるゴム材料としては、各種フッ素ゴム、パーフルオロゴム、シリコーンゴム、ニトリルゴム、水素添加ニトリルゴム、エチレンプロピレンゴム、ウレタンゴム等に適用することができる。
【００１３】
また、特殊ＰＴＦＥ粒子の添加によって得られる本発明の実用上の屈曲耐久性改良の効果は、上記ゴム材料１００に対して０．５〜２０％の範囲が好適であることが分かった。
【００１４】
以下、本発明をダイヤフラムの実機耐久試験並びにテストピースによる屈曲耐久試験に基づいて詳述する。
【００１５】
「試験１」
試験に用いたダイヤフラムは、従来品として内径5.5cm、外径20cm、高さ5.65cmのパーフルオロゴム製ダイヤフラム（試料１）を用い、また本発明品としてはパーフルオロゴムに特殊ＰＴＦＥ粒子を２％添加した同一寸法形状のダイヤフラム（試料２）を用いた。
【００１６】
試験機としては、伸和コントロールズ株式会社製Ｃ２４０−Ｂ４Ｅチェックバルブを用い、エアー圧力0.1Mpa 、屈曲周期１５０回／分、常温で上記それぞれのダイヤフラム試料についてそれぞれ同時に繰返し屈曲して耐久試験を行った。
【００１７】
その結果、試料１では約１８時間で破断した。
【００１８】
試料２では５００時間経過しても破断は見られなかった。
【００１９】
これらの結果から、特殊ＰＴＦＥ粒子を添加したゴムを用いたダイヤフラムは特殊ＰＴＦＥ粒子を添加しないゴムを用いたものよりも、屈曲耐久性が２０倍以上著しく向上することが分かった。
【００２０】
「試験２」
１種のフッ素ゴムを用いて特殊ＰＴＦＥ粒子を添加しない試験片と特殊ＰＴＦＥ粒子の配合量を変えて添加した試験片（ＪＩＳＫ６２６０加流ゴムの屈曲亀裂試験方法による）とをデマッチャ屈曲試験機により温度４０℃で屈曲耐久試験を行った結果を表１に示す（表１において特殊ＰＴＦＥ粒子を単にＰＴＦＥと表示した）。
【００２１】
この試験においてはそれぞれ同じ配合量の試験片を３個用意し、それぞれ同じ条件で試験を行い、その各試験片についてその結果を表１に示した。
【００２２】
また表１において、○は試験片に亀裂なし、△は亀裂有り、×は破断したことを示す。
【００２３】
【表１】
2010084049.tif 000002
表１に示す結果から、特殊ＰＴＦＥ粒子の配合量によって多少数値的に差違があるが、ダイヤフラムに用いるゴム材料に特殊ＰＴＦＥ粒子を添加することにより、特殊ＰＴＦＥ粒子を配合したものでは亀裂が発生してもそれが破断へと進行するのが遅く、破断し難いことが分かった。
【００２４】
このことは表１の他、品種の異なるフッ素ゴムやシリコーンゴムなどのゴム材料についても同様の試験を行ったが、ほぼ同様の効果が得られることが分かった。
【産業上の利用可能性】
【００２５】
各種ダイヤフラム、特に負荷の大きい流体に用いる高機能ダイヤフラムに適用することに効果があり、かつ繰り返しゴム材料が屈曲する防振ゴムなどの他のゴム製品への応用も可能である。
(57)【要約】【課題】  既存設備に対応でき、低コストにて効率よく燃料油の燃費効率が向上できる燃料油の改質装置がなかった。【解決手段】  既設の燃料油タンクより、装置内に併設した燃料油タンクに燃料油を送り、循環ポンプを用いて、酸素欠乏傾斜構造をなす電磁波応答型光触媒の特徴をもつ二酸化チタンの小球が充填された鋳鉄製容器に送り、二酸化チタンの小球が衝突し、その際発生する電磁波に反応した二酸化チタンの触媒作用が燃料油に活性化（励起化、イオン化、電離化）を起こさせ、燃焼効率が高くなる燃料油に改質する装置。【選択図】  図１
2010084717.tif 000002
【特許請求の範囲】
【請求項１】
金属製容器に酸素欠乏構造をなし電磁波応答型光触媒の特徴をもつ二酸化チタンの小球を充填し、燃料油を前記二酸化チタンに接触させることを特徴とする燃焼効率を向上させるための燃料油改質装置。
【請求項２】
前記金属製容器の容積の５〜１５％程度の自由空間を設けるようにし、燃料油を送油し、前記二酸化チタンの小球を充填することを特徴とする請求項１記載の燃料油改質装置。
【請求項３】
前記金属製容器に燃料油タンクを併設し、循環ポンプを用いて燃料油を前記金属製容器と前記燃料油タンク間を循環させることを特徴とする請求項１又は２記載の燃料油改質装置。
【発明の詳細な説明】
【技術分野】
【０００１】
本発明は、燃費効率向上及び燃費削減に寄与する燃料油の改質の装置に関する。
【背景技術】
【０００２】
燃焼機に鉱物燃料油が使用されているのが従来の燃焼システムである。
【０００３】
従来の改質装置は触媒機能を有した素材をタンク内に浸漬する装置がある。
（例えば特許文献１参照）
【０００４】
燃料の改質や活性化を行う機能を持つ素材を配管内に充填させる方法がある。
（例えば特許文献２参照）
【特許文献１】特開２００８−２３５０６号  公報
【特許文献２】特開２００７−２４７５４４  公報
【発明の開示】
【発明が解決しようとする課題】
【０００５】
上記の内特許文献１に記載された方法は、素材の量が増大になり、コスト高の課題がある。
【０００６】
上記の内特許文献２に記載された方法は、燃料油との接触時間が短く不安定なる課題がある。
【課題を解決するための手段】
【０００７】
本発明は上記課題を解決するために、金属製容器に酸素欠乏構造をなし電磁波応答型光触媒の特徴をもつ二酸化チタンの小球を充填し、前記二酸化チタンに燃料油を接触させることとしたものである。
酸素欠乏構造をなし電磁波応答型光触媒の特徴をもつ二酸化チタンとは、株式会社不二機販が開発した商品PIPチタンである。
燃料油と接触させるPIPチタンは、燃料油との接触面積の多寡が燃費に大きく関与、影響を与えると考え、PIPチタンの表面積の大小に関係し、また資源的にも有利と考え、その形状を２ｍｍ〜５ｍｍの直径をもつ形状のPIPチタンとする。
【０００８】
前記金属製容器に前記金属製容器の容積の５〜１５％程度の自由空間を設けて前記二酸化チタンの小球を前記金属製容器に充填してもよい。前記金属製容器に設けている自由空間が５％以下の場合前記二酸化チタンの動きが不十分であり、１５％以上になると前記燃料油との接触時間が不十分になるため前記金属製容器の自由空間は前記金属製容器の容積の５〜１５％程度に設定するのがよい。前記金属製容器に送油された燃料油によって、前記金属製容器に設けられた５〜１５％程度の自由空間によりPIPチタンが衝突し、その際発生する電磁波に反応したPIPチタンが触媒作用を起こし、燃料油に活性化（励起化、イオン化、電離化）を起こさせ燃焼効率が高まる燃料油に改質される。
【０００９】
本発明に用いるPIPチタンを充填する容器は、鋳鉄製鉄管やステンレス製管等の金属製であればよい。
【００１０】
本発明は、装置内に設けた燃料油タンクに燃料油を溜め、循環ポンプを用いて二酸化チタンが充填された容器に送油することにより燃料油が効率よく二酸化チタンに接触することができる。このことにより、燃焼機の燃料消費量を基準に、二酸化チタンの量及び循環ポンプの容量を変えることにより多数の燃焼機に対応できる。
【発明の効果】
【００１１】
本発明によれば、簡易な装置構成により燃料油と二酸化チタンが効率よく接触することができる。
【００１２】
本発明によれば、二酸化チタンの触媒作用が燃料油に活性化（励起化、イオン化、電離化）を起こさせ、燃費向上が高まる燃料油に改質させる。
【００１３】
本発明によれば、二酸化チタンと燃料油が効率よく接触できることにより、従来よりも低コストにて装置ができる。
【００１４】
本発明によれば、改質された燃料油は、燃焼効率が高くなり、よって燃焼機の噴射油圧を減圧することが可能になり、燃料消費量が削減できる。
このことは、経済的な効果ばかりでなく、環境負荷を低減することに効果がある。
【発明を実施するための最良の形態】
【００１５】
以下実施例により本発明を更に説明する。
【実施例１】
【００１６】
図１は、本発明の一実施形態を示す概念図である。燃焼機５の燃料消費量が７００L/hにおいて５％〜１５％程度の自由空間を設けた金属製容器４にPIPチタン２０kg充填し、循環ポンプ３の容量を４０L/minに設定する。既設燃料油タンク１より併設燃料油タンク２へバイパス配管７により送油する。この時併設燃料油タンク２の設置時高さは併設タンク１の底部より低くする。これにより既設燃料油タンク１より併設燃料油タンク２へ動力を使わず送油される。併設燃料油タンク２に送油された燃料油は循環送油管８を経由し、循環ポンプ３によってPIPチタンが充填された金属製容器４に送油される。ここでPIPチタンと燃料油が接触することにより燃料油が改質される。改質された燃料油は循環送油管７により併設燃料油タンク２に戻される。併設燃料油タンク２に戻された燃料油は、バイパス送油管７により、既設燃料油送油管６により燃焼機５へ送られる。
【実施例２】
【００１７】
本発明の装置により処理されたA重油について製茶加工工場の燃焼機に使用し燃料消費量の削減効果の確認を行った。装置設置前の生葉１kgのA重油消費量が０．２３３K/kgであったが、装置設置後の生葉１kgのA重油消費量が０．２０２L/kgに減少していたことが示された。
【産業上の利用可能性】
【００１８】
本発明の装置は、既存の装置・設備に適用でき、簡略な装置構成により燃料改質が可能であり、燃焼効率の向上ができる。
【００１９】
本発明によれば、定置型の内燃機関の燃料油の燃費改善が可能であるので、工場の燃焼機や事業所の給湯設備にも適用できる。
【図面の簡単な説明】
【００２０】
【図１】本発明の燃焼油改質装置の概念図
【符号の説明】
【００２１】
１    既設燃料油タンク
２    併設燃料油タンク
３    循環ポンプ
４    金属製容器
５    燃焼機
６    既設燃料油送油管
７    バイパス送油管
８    循環送油管
【図１】
2010084717.tif 000003
(57)【要約】【課題】パソコン電子メールの誤送信を防止する注意喚起システムとスパイウエアー等成りすましによる情報漏洩防止システム。【解決手段】パソコンの電子メールを発信する前に信書認証サーバに電話機能を利用して発信者本人の証明と受信者を問い合わせる。問い合わせ方法は電話で本人ＩＤ、受信者ＩＤを入力します。サーバにて本人証明されたらサーバの音声応答機能にて受信者を本人の電話にて音声通知します。それは発信者本人の聴覚での確認になります。その後、電話の音声聞き漏らしも考えられるので本人の携帯電話メールで通知して発信者本人の視覚認識させます。この方法を利用すれば３度発信者本人と受信者名を確認でき誤送信を事前に防止可能となります。また発信者がパソコンメールで誤送信しても誤送信された受信者には信書認証サーバより文書登録受付ＮＯとメールを開封する鍵が届いてないので誤りメールを開封する事ができない。【選択図】図２
2010218519.tif 000002
【特許請求の範囲】
【請求項１】
パソコン電子メールの誤送信を未然に防止する目的で発信者に注意を喚起するシステムとして電話を利用する。発信者はパソコン電子メールを送信前に電話にて信書認証サーバに発信者ＩＤ、受信者ＩＤ、グループに発信の場合グループＩＤを送信します。
信書認証サーバではサーバに登録済みの場合各ＩＤを照合し、照合されたら接続されている電話に音声にて発信者名、受信者名、グループの場合グループの構成員名を発信者に通知します。通知する事により発信者の聴覚を利用して注意を換気します。もし受信者ＩＤの入力ミスがあれば取り消しも可能とします。（図１）
【請求項２】
請求項１で発信者の聴覚を利用して喚起しましたが再度、パソコン電子メール発送前に未然に誤送信を防止する目的で信書認証サーバに電話でＩＤ入力した発信者、受信者に対し登録されている携帯電話メールアドレスに確認メールを送信する。
発信者には信書認証サーバの文書登録受付ＮＯと発信者のメールを括る鍵、受信者名を列記し送信します。受信者には発行者名と文書登録受付ＮＯ、メール文書を開封する鍵を送信する。
請求項２でもパソコン電子メールの誤送信を未然に防止する目的で携帯電話でのメール機能を利用し視覚にて注意を喚起します。（図２）
【請求項３】
請求項１、請求項２で電子メール発信者に誤送信の注意を喚起しても発信者がパソコン電子メールアドレスを間違えば誤送信されます。受信者には携帯電話の電子メールの文書を開封する鍵が届いてないので開封が不可能です。鍵の無い受信者が強制的に開封する試行すれば信書認証サーバに強制開封の情報が通知され信書認証サーバは発信者にパソコン電子メールが誤送信された旨通知する仕組み。（図３）
【発明の詳細な説明】
【技術分野】
【０００１】パソコン電子メールでは発信者・受信者の情報を盗聴、改ざんするウイルス・スパイウェアーとインターネット回線上のハッキング防止するシステム。【０００２】パソコン電子メールで誤送信を防止する発信者に対する注意喚起システム。
【背景技術】
【０００３】インターネットを利用した携帯電話・パソコンの電子メール技術があります。【０００４】ＮＴＴ東西のサービス業務のナンバーディスプレイサービスがあります。
【発明の開示】
【発明が解決しようとする課題】
【０００５】インターネットを利用したパソコン電子メールでは盗聴・改ざんの危険が下記通りあります。
（危険箇所）
▲１▼  発信者・受信者パソコンに侵入したウイルス・スパイウエアーの犯行。
▲２▼  発信者・受信者の内部関係者による犯行。
▲３▼  発信者・受信者が所属するプロバイダーでの事故。
▲４▼  インターネット上での情報ハッキングされての事故。
以上の危険箇所があり日々ウイルス・スパイウエアーとそれを退治するワクチンが開発されていますが決定的な決めてはなくイタチごっこが繰り返されている。
今回の発明はこのイタチごっこを断ち切り安心・安全な電子メールシステムを提供するものである。【０００６】人間のうっかり・勘違いミスを極力なくする為の注意喚起を発信者に提示するシステムである。
【課題を解決するための手段】
【０００７】電子メールでは発信者・受信者パソコンとの間でＩＤ、パスワード、本文、添付ファイル含めて全ての情報が往来している。情報詐取を目的にウイルス・スパイウエアーが侵入するし内部関係者も電子メール情報を詐取する。
課題を解決する手段として下記の手順で解決する。
▲１▼  最初に発信者・受信者が共に本人であるか？の確認を信書認証サーバで本人証明を行う。
▲２▼  本人証明は発信者のパソコンでは無く発信者の電話で信書認証サーバに問い合わせる。問い合わせ方法は登録した電話番号と本人がかけてきた電話番号を信書認証サーバで照合し合致すれば発信者本人と特定します。本人と特定した場合、信書認証サーバでは引き続き受信者のＩＤを求め、受信者が信書認証サーバに登録されていればその都度、信書認証サーバの音声応答機能により発信者の聴覚に通知します。発信者の聞き逃し等も考えられ再度注意喚起を目的に発信者本人の携帯電話に電子メールで文書登録受付ＮＯと電子メールの文書を括る鍵（ワンタイム方式）と受信者名を併せて通知します。発信者本人が受信先をメールにて確認し信書認証機関サーバに正・否の返信をする。信書認証サーバでは返信より本人の了解を得たと解釈し受信者の携帯電話の電子メールで発信者名と文書登録受付ＮＯと電子メールの開封鍵を送信します。
▲１▼  発信者者本人はパソコンの電子メールに▲２▼より証明された文書登録受付ＮＯを入力し本文の添付ファイルを括るパスワード＝鍵をつけて再度、発信者本人の視覚による確認後受信者に電子メール送信する。
▲２▼  受信者は先に信書認証サーバより携帯電話のメールで発信者名、文書登録受付ＮＯが着信されているのでパソコンの受信メールで文書登録受付ＮＯを確認し発信者名と文書登録受付ＮＯが合致してれば本人と認定し本文中の添付ファイルを開封する鍵で開き見る。
発信者本人の認証を電話（発信者番号通知機能）で確認する。携帯電話回線網で文書登録受付ＮＯ及び開封する鍵が通知されるので成りすまし犯人がインターネットでパソコンに侵入し情報ハッキングしようとしても文書登録受付ＮＯとワンタイム方式の開封鍵が入ってこないので盗聴・改ざんが不可能となります。
発信者本人の誤送信については勘違い、うっかりミスがあります。これについては３段階のチェック方法で発信者本人の注意力を喚起する仕組みです。
▲１▼  電話にて受信者名（受信者ＩＤ）入力時に音声システムで確認。
▲２▼  信書認証サーバからの携帯電話メールでの受信者名を確認。
▲３▼  パソコン電子メールでの送信時、受信者名を入力時に確認。
もしパソコン電子メール入力時に受信者名を間違えて送信しても受信者には文書登録受付ＮＯと文面開封の鍵が届いてないので電子メールの添付ファイルを開き見る事ができないので安心・安全である。
【図面の簡単な説明】
【００８】
【図１】信書認証サーバによる音声確認］
【図２】信書認証サーバによる電子メール配信通知
【図３】信書認証サーバによる発信者誤送対応
【図１】
2010218519.tif 000003
【図２】
2010218519.tif 000004
【図３】
2010218519.tif 000005
(57)【要約】      （修正有）【課題】異なる寸法のＣＰＵファンを選択的に取り付けることができるコンピュータのメインボードを提供する。【解決手段】コンピュータのメインボード１は、ＣＰＵ装着領域１０と、第一ファンの複数の固定端を固定する複数の第一固定孔２０と、第二ファンの複数の固定端を固定する複数の第二固定孔３０と、前記複数の第一固定孔２０及び前記複数の第二固定孔３０は、前記ＣＰＵ装着領域１０の周囲に分布され、いずれか一つの第二固定孔３０の中心及び該第二固定孔３０に隣り合う第一固定孔２０の中心から前記ＣＰＵ装着領域１０の中心点までの２つの連結線は夾角を形成する。【選択図】図１
2010218553.tif 000002
【特許請求の範囲】
【請求項１】
ＣＰＵ装着領域と、
第一ファンの複数の固定端を固定する複数の第一固定孔と、
第二ファンの複数の固定端を固定する複数の第二固定孔と、
を備えてなるコンピュータのメインボードであって、
前記複数の第一固定孔及び前記複数の第二固定孔は、前記ＣＰＵ装着領域の周囲に分布され、いずれか一つの第二固定孔の中心及び該第二固定孔に隣り合う第一固定孔の中心から前記ＣＰＵ装着領域の中心点までの２つの連結線は夾角を形成することを特徴とするコンピュータのメインボード。
【請求項２】
前記ＣＰＵ装着領域は、方形であって、四つの第一固定孔が別々に前記ＣＰＵ装着領域の対角線の延長線に設置され、各々の第一固定孔の中心から前記ＣＰＵ装着領域の中心点までの距離は等しく、四つの第二固定孔は、別々に前記四つの第一固定孔の近傍に設置され、且つ各々の第二固定孔の中心から前記ＣＰＵ装着領域の中心点までの距離は等しいことを特徴とする請求項１に記載のコンピュータのメインボード。
【請求項３】
前記夾角は９０度より小さいことを特徴とする請求項２に記載のコンピュータのメインボード。
【発明の詳細な説明】
【技術分野】
【０００１】
本発明は、コンピュータのメインボードに関するものである。
【背景技術】
【０００２】
コンピュータのメインボードには、ＣＰＵ（Ｃｅｎｔｒａｌ  Ｐｒｏｃｅｓｓｉｎｇ  Ｕｎｉｔ，中央処理装置）ファンを固定するための固定孔が設置されている。通常、異なる型番のＣＰＵによって、ＣＰＵファンの寸法及び固定位置も異なる。コンピュータ技術の発展に伴って、ＣＰＵの更新頻度も速くなる。ユーザーがコンピュータのメインボード及びＣＰＵを取り換える場合、古いＣＰＵファンの寸法は新しいメインボードのＣＰＵファンの固定孔の位置に合わないため、新しいＣＰＵファンに取り換えなければならなく、コストが増加する。
【発明の概要】
【発明が解決しようとする課題】
【０００３】
本発明の目的は、前記課題を解決し、異なる寸法のＣＰＵファンを選択的に取り付けることができるコンピュータのメインボードを提供することである。
【課題を解決するための手段】
【０００４】
本発明に係るコンピュータのメインボードは、ＣＰＵ装着領域と、第一ファンの複数の固定端を固定する複数の第一固定孔と、第二ファンの複数の固定端を固定する複数の第二固定孔と、を備え、前記複数の第一固定孔及び前記複数の第二固定孔は、前記ＣＰＵ装着領域の周囲に分布され、いずれか一つの第二固定孔の中心及び該第二固定孔に隣り合う第一固定孔の中心から前記ＣＰＵ装着領域の中心点までの２つの連結線は夾角を形成する。
【発明の効果】
【０００５】
本発明に係わるコンピュータのメインボードには、第一ファンを固定するための第一固定孔及び第二ファンを固定するための第二固定孔が設置されているため、ユーザーは状況に応じて異なる寸法の第一ファン又は第二ファンを選択的に取り付けることができる。
【図面の簡単な説明】
【０００６】
【図１】本発明の実施形態に係るコンピュータのメインボードの構造を示す図である。
【発明を実施するための形態】
【０００７】
以下、図面を参照して、本発明の実施形態について説明する。
【０００８】
本発明に係るコンピュータのメインボード１は、方形のＣＰＵ装着領域１０、該ＣＰＵ装着領域１０の周囲に分布される四つの第一固定孔２０及び四つの第二固定孔３０を備える。本実施形態において、前記四つの第一固定孔２０は、別々に前記ＣＰＵ装着領域１０の対角線の延長線に設置されており、各々の第一固定孔２０の中心から前記ＣＰＵ装着領域１０の中心点までの距離は等しく、前記四つの第二固定孔３０は、別々に前記四つの第一固定孔２０の近傍に設置されており、且つ各々の第二固定孔３０の中心から前記ＣＰＵ装着領域１０の中心点までの距離は等しい。いずれか一つの第二固定孔３０の中心及び該第二固定孔３０に隣り合う第一固定孔２０の中心から前記ＣＰＵ装着領域１０の中心点までの２つの連結線との間の夾角ａは９０度より小さい。
【０００９】
前記第一固定孔２０は第一ＣＰＵファンを取り付けることに用いられ、前記第二固定孔３０は第二ＣＰＵファンを取り付けることに用いられる。前記ＣＰＵ装着領域１０にＩｎｔｅｌ会社の１１５６ＰｉｎＣＰＵを取り付ける場合、１１５６ＰｉｎＣＰＵファンの四つの固定端を別々に前記四つの第一固定孔２０に挿入し、前記ＣＰＵ装着領域１０にＩｎｔｅｌ会社の７７５ＰｉｎＣＰＵを取り付ける場合、７７５ＰｉｎＣＰＵファンの四つの固定端を別々に前記四つの第二固定孔３０に挿入する。ユーザーは、状況に応じて、前記コンピュータのメインボード１に必要とするＣＰＵ及びＣＰＵファンを選択的に取り付けることができ、操作が便利であって、コストも下がる。
【００１０】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００１１】
１  コンピュータのメインボード
１０  ＣＰＵ装着領域
２０  第一固定孔
３０  第二固定孔
【図１】
2010218553.tif 000003
(57)【要約】【課題】従来の国家試験対策の過去問題集はぶ厚い本であった。現在はノート型パーソナルコンピュータを持ち歩く学習者も多く荷物が重たくなる傾向がある。【解決手段】国家試験の過去の問題のうち許可されるものについて、各省庁からの公布をすみやかに受ける。それを電子化し、ＵＳＢ（フラッシュ）メモリーに記憶させ、多くの受験勉強をすすめている人々の手元にて活用されるようその技術を確立している業者に依託していく。【特許請求の範囲】
【請求項１】
国家試験の過去の問題をリモーバブルディスク化し、ＵＳＢ（フラッシュ）メモリとしてパーソナルコンピュータで活用できる状態としたもの。
【発明の詳細な説明】
【技術分野】
【０００１】携帯型パーソナルコンピュータのＵＳＢ孔を利用した  国家試験受験勉強の簡易化に関す
【背景技術】
【０００２】従来の国家試験対策の過去問題集はぶ厚いものが多く、他のテキスト類も持ち歩く受験者にとって重たい本の１つであった。現在はノート型パーソナルコンピュータもほぼ一人一台となり学生はそれをノートがわりとして講議等にも持参している状態がある。少しでも荷物を減らし、その上どこででも受験対策ができるよう工夫したい。
過去の国家試験を分野ごとにＵＳＢ（フラッシュ）メモリに入れて保存し、軽く持ち歩ける状態とする。
【発明の概要】
【発明が解決しようとする課題】一般の受験者が勉学をする際に、本が重たく、持ち歩くのが大変であること  を解決したい。
【課題を解決するための手段】ぶ厚い紙の過去問題集を電子化し、ＵＳＢ（フラッシュ）メモリに保存されたものを、活用することにより解決をめざす。
【発明の効果】インターネットが今やどこででも可能な様に、パーソナルコンピュータを携帯していればどこででも国家試験対策に向け、過去問題集をサクサクと解き進めることができる。
将来的には過去問題集とその解答のみならず、その考え方を簡易に検索できるようハイパーリンクを組み合わせ、時間を節約した効果的な学習が出来るものとする。
人々がパーソナルコンピュータを活用し受験対策を効果的に進めることが出来る、その道具となる。
(57)【要約】【目的】  パーソナルコンピューターの簡素化。  組み立てが簡単で、分解がしやすい、資源リサイクルに向いている、パーソナルコンピューター。  薄型モニターの背面にパーソナルコンピューターを取り付ける。【構成】  アダプター（２）に、取り付け穴（３）とネジ（４）を設ける。  薄型モニター背面上でコンピューターを組み立てる。アダプター（２）を、取り付け穴（３）で薄型モニター背面にあるＶＥＳＡ規格（１００×１００ｍｍ）のネジに取り付ける、マザーボード（１）をアダプター（２）のネジ（４）に取り付ける、カバー（５）をアダプター（２）に取り付ける。  マザーボード（１）を、覆い隠すカバー（５）にチップセットやＣＰＵのヒートシンク（クーラー）を外部に出す窓（６）を設ける。【選択図】図１
2010218525.tif 000002
【特許請求の範囲】
【請求項１】
板の四方を折り曲げ、薄型モニター（ディスプレイ、以下モニターと書く）背面取り付けアダプター（２）（以後アダプター２と書く）とし、アダプター（２）にＶＥＳＡ規格（１００×１００ｍｍ）の取り付け穴（３）（以後取り付け穴３と書く）とマザーボード（１）を取り付けるネジ（４）（以後ネジ４と書く）を設ける。
薄型モニター背面上でコンピューターを組み立てる。
アダプター（２）を、アダプター取り付けビス（１１）で、取り付け穴（３）を通して薄型モニター背面（９）にあるＶＥＳＡ規格のメネジ（８）に取り付ける、マザーボード（１）をアダプター（２）に、ネジ（４）で取り付ける、マザーボード（１）を、覆い隠すカバー（５）（以後カバー５と書く）をアダプター（２）に取り付ける。
アダプター（２）にマザーボード（１）を取り付けたとき、マザーボード（１）の裏面とアダプター（２）の平面が接触しないように空間を設ける。
【請求項２】
カバー（５）にチップセトやＣＰＵのヒートシンク（クーラー）を外部に出す窓（６）を設ける。
以上のように構成された、薄型モニター背面上組み立てコンピューター。
【発明の詳細な説明】
【産業上の利用分野】
【０００１】  本発明は、パーソナルコンピューターに関する。
【背景技術】
【０００２】  従来のモニター一体型コンピューターは、モニターの内部にコンピューターの主要部品を組み込んでいた。また、モニターの背面に完成したコンピューターの箱を取り付けていた。
【発明が解決しょうとする課題】
【０００３】  パーソナルコンピューターの簡素化、組み立て、分解を簡単にする。
【問題を解決するための手段】
【０００４】    アダプター（２）に、取り付け穴（３）とネジ（４）を設ける。
薄型モニター背面上でコンピューターを組み立てる。
アダプター（２）を、取り付け穴（３）で薄型モニター背面にあるＶＥＳＡ規格（１００×１００ｍｍ）のネジに取り付ける、マザーボード（１）をアダプター（２）のネジ（４）に取り付ける、カバー（５）をアダプター（２）に取り付ける。
カバー（５）にチップセトやＣＰＵのヒートシンク（クーラー）を外部に出す窓（６）を設ける。
【作用】
【０００５】  薄型モニター背面上でコンピューターを組み立てる。
アダプター（２）を、取り付け穴（３）で薄型モニター背面に取り付ける、マザーボード（１）をアダプター（２）のネジ（４）に取り付ける、カバー（５）をアダプター（２）に取り付ける。
マザーボード（１）に、カバー（５）をかぶせ、チップセトやＣＰＵのヒートシンク（クーラー）を外部に出す
【実施例】
【０００６】以下、本発明の実施例について説明する。
アダプター（２）に、取り付け穴（３）とネジ（４）を設ける。
薄型モニター背面上でコンピューターを組み立てる。
アダプター（２）を、取り付け穴（３）で薄型モニター背面にあるＶＥＳＡ規格（１００×１００ｍｍ）のネジに取り付ける、マザーボード（１）をアダプター（２）のネジ（４）に取り付ける、カバー（５）をアダプター（２）に取り付ける。
カバー（５）にチップセトやＣＰＵのヒートシンク（クーラー）を外部に出す窓（６）を設ける。
【発明の効果】
本発明は、以上のような構成でこれを利用したパーソナルコンピューターは、分解、組み立てが簡単である。
本発明のパーソナルコンピューターは部品構成を単純化してある。
薄型モニターとコンピューターは、製品の陳腐化するサイクルが違うので、薄型モニターとコンピューターを分離して廃棄する、分離したとき、コンピューターは、アダプターとマザーボードとカバーに分かれているので、資源リサイクルに向いているパーソナルコンピューター。
【図面の簡単な説明】
【図１】  本発明の組み立て斜視図
【図２】  アダプターの正面図
【図３】  アダプターとマザーボードの断面図
【図４】  ハードディスクドライブを取り付けられるアダプターの正面図
【図５】  ＣＰＵクーラーを外に出す窓を設けたカバー外観の斜視図
【図６】  アダプター斜視図
【符号の説明】（１）  マザーボード
（２）  薄型モニター背面取り付けアダプター
（３）  薄型モニター背面に取り付ける穴
（４）  マザーボードを取り付ける４個のメネジ
（５）  マザーボードを、覆い隠すカバー
（６）  ＣＰＵクーラーを外に出す窓
（７）  ハードディスクドライブ取り付け４個のメネジ
（８）  ＶＥＳＡ規格の４個のメネジ
（９）  薄型モニター背面
（１０）ＣＰＵクーラー
（１１）アダプター取り付けビス
（１２）ＣＰＵクーラーを外に出す窓を設けたカバー
【図１】
2010218525.tif 000003
【図２】
2010218525.tif 000004
【図３】
2010218525.tif 000005
【図４】
2010218525.tif 000006
【図５】
2010218525.tif 000007
【図６】
2010218525.tif 000008